(57)【要約】【課題】  ユーザーにとって使い勝手の良い時刻表示が設定時刻経過時に成される時刻表示装置及び時刻表示方法を提供することを目的とする。【解決手段】  ユーザーは、リモートコントローラ１１７や操作部１１６の操作によって、例えばオンタイマー機能が実行される時刻を事前に設定しておく。次に、制御部２６１は、時計２８０で計時されている現在時刻と、設定されたオンタイマー時刻の比較を行い、両者が一致するか否かを判定する（ステップ６０１）。両者の時刻が一致した場合、電源切替制御部２６１ｅは、テレビジョン放送受信装置１１１をオフ状態からオン状態となるように制御する（ステップ６０２）。そして、ユーザーが設定した時刻の経過時の映像表示器１１４の画面上には、通常動作状態において表示される時刻とは異なる態様で時刻が表示される。【選択図】      図６
2009276182.tif 000002
【特許請求の範囲】
【請求項１】
少なくとも時刻を表示する表示手段と、
電源状態がオフの状態から自動的にオンの状態となるオンタイマー時刻を設定するオンタイマー時刻設定手段と、
前記オンタイマー時刻に、電源状態が自動的にオンの状態となるように制御する制御手段と、
前記表示手段に時刻を表示する時刻表示手段と、
前記オンタイマー時刻の経過時に、電源状態がオン状態における通常の時刻の表示態様とは異なる表示態様にて前記表示手段に時刻を表示させるように前記時刻表示手段を制御する時刻表示態様制御手段と、
を備えることを特徴とする時刻表示装置。
【請求項２】
前記時刻表示態様制御手段は、前記オンタイマー時刻の経過時に前記表示手段に表示される時刻の位置，大きさ，色の少なくともいずれかの要素を、電源状態がオン状態における通常の時刻の表示態様と異なるように制御することを特徴とする請求項１に記載の時刻表示装置。
【請求項３】
更に、前記オンタイマー時刻の経過時に前記表示手段に表示させる時刻の表示態様を設定する時刻表示態様設定手段とを備えることを特徴とする請求項１に記載の時刻表示装置。
【請求項４】
更に、放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を前記表示手段に出力する出力手段とを備えることを特徴とする請求項１に記載の時刻表示装置。
【請求項５】
電源状態をオフの状態から自動的にオンの状態となるオンタイマー時刻を設定するステップと、
前記オンタイマー時刻において、電源状態がオフの状態から自動的にオンの状態となるとともに表示装置に時刻を表示するステップとを有し、
前記表示装置に時刻を表示するステップでは、前記オンタイマー時刻の経過時に前記表示装置に表示される時刻の表示態様を、電源状態がオン状態における通常の時刻の表示態様と異なるように制御するステップを含むことを特徴とする時刻表示方法。
【請求項６】
少なくとも時刻を表示する表示手段と、
時刻を設定する設定手段と、
前記設定された時刻の経過時に前記表示手段に表示される時刻の表示態様と、電源状態がオン状態において前記表示手段に表示される通常の時刻の表示態様とが異なるように制御する時刻表示態様制御手段と、
を備えることを特徴とする時刻表示装置。
【請求項７】
時刻を設定するステップと、
前記設定された時刻経過時に、表示手段に時刻を表示するステップとを有し、
前記表示手段に時刻を表示するステップでは、前記設定された時刻の経過時に前記表示手段に表示される時刻の表示態様を、電源状態がオン状態における通常の時刻の表示態様と異なるように制御するステップを含むことを特徴とする時刻表示方法。
【請求項８】
少なくとも時刻を表示する表示手段と、
電源状態がオフの状態から自動的にオンの状態となるオンタイマー時刻を設定するオンタイマー時刻設定手段と、
前記オンタイマー時刻の経過前に、電源状態が自動的にオンの状態となるように制御する制御手段と、
前記表示手段に時刻を表示する時刻表示手段と、
前記オンタイマー時刻の経過前に前記表示手段に表示される時刻を、電源状態がオン状態における通常の時刻の表示態様とは異なる表示態様にて前記表示手段に時刻を表示させるように前記時刻表示手段を制御する時刻表示態様制御手段と、を備えることを特徴とする時刻表示装置。
【発明の詳細な説明】
【技術分野】
【０００１】
この発明は、少なくとも時刻を表示する時刻表示装置及び時刻表示方法に関する。
【背景技術】
【０００２】
従来より、ユーザーが予め設定した時刻になると電源を自動的にオン状態にできる機能（以下、オンタイマー機能と称する）を有する装置が広く知られている。例えば、以下の特許文献１では、オンタイマー機能及びオフタイマー機能を有するテレビが開示されている（例えば、特許文献１参照）。このテレビのオンタイマー機能は、ユーザーが設定した時刻になったら装置がオフ状態（待機状態も含む）から、例えば映像及び音声の出力が伴うオン状態に移行するものである。
【０００３】
また、装置がオフ状態からオン状態に移行したときに時刻を表示するものが知られている（例えば、特許文献２参照）。
【特許文献１】特開昭６２−８４６６４号公報
【特許文献２】特開２００３−１０７１７９号公報
【発明の開示】
【発明が解決しようとする課題】
【０００４】
しかしながら、オンタイマー機能を有する従来の装置において、オンタイマー時刻の経過時に、どのような態様で時刻を表示するのか、について十分な検討が成されていないというのが現状である。
【０００５】
そこで本発明は、予め設定した時刻の経過時に時刻表示が成される装置であって、尚且つユーザーにとって利便性や視認性が高い、新規な時刻表示装置及び時刻表示方法を提供することを主たる目的とする。
【課題を解決するための手段】
【０００６】
本発明は上記課題に鑑みてなされたものであり、その主な特徴は以下のとおりでる。すなわち、本発明の時刻表示装置は、少なくとも時刻を表示する表示手段と、電源状態がオフの状態から自動的にオンの状態となるオンタイマー時刻を設定するオンタイマー時刻設定手段と、前記オンタイマー時刻に、電源状態が自動的にオンの状態となるように制御する制御手段と、前記表示手段に時刻を表示する時刻表示手段と、前記オンタイマー時刻の経過時に、電源状態がオン状態における通常の時刻の表示態様とは異なる表示態様にて前記表示手段に時刻を表示させるように前記時刻表示手段を制御する時刻表示態様制御手段と、を備えることを特徴とする。
【０００７】
また、本発明の時刻表示装置は、少なくとも時刻を表示する表示手段と、時刻を設定する設定手段と、前記設定された時刻の経過時に前記表示手段に表示される時刻の表示態様と、電源状態がオン状態において前記表示手段に表示される通常の時刻の表示態様とが異なるように制御する時刻表示態様制御手段と、を備えることを特徴とする。
【０００８】
また、本発明の時刻表示装置は、少なくとも時刻を表示する表示手段と、電源状態がオフの状態から自動的にオンの状態となるオンタイマー時刻を設定するオンタイマー時刻設定手段と、前記オンタイマー時刻の経過前に、電源状態が自動的にオンの状態となるように制御する制御手段と、前記表示手段に時刻を表示する時刻表示手段と、前記オンタイマー時刻の経過前に前記表示手段に表示される時刻を、電源状態がオン状態における通常の時刻の表示態様とは異なる表示態様にて前記表示手段に時刻を表示させるように前記時刻表示手段を制御する時刻表示態様制御手段と、を備えることを特徴とする。
【０００９】
また、本発明の時刻表示方法は、電源状態をオフの状態から自動的にオンの状態となるオンタイマー時刻を設定するステップと、前記オンタイマー時刻において、電源状態がオフの状態から自動的にオンの状態となるとともに表示装置に時刻を表示するステップとを有し、
【００１０】
前記表示装置に時刻を表示するステップでは、前記オンタイマー時刻の経過時に前記表示装置に表示される時刻の表示態様を、電源状態がオン状態における通常の時刻の表示態様と異なるように制御するステップを含むことを特徴とする。
【００１１】
また、本発明の時刻表示方法は、  時刻を設定するステップと、前記設定された時刻経過時に、表示手段に時刻を表示するステップとを有し、前記表示手段に時刻を表示するステップでは、前記設定された時刻の経過時に前記表示手段に表示される時刻の表示態様を、電源状態がオン状態における通常の時刻の表示態様と異なるように制御するステップを含むことを特徴とする。
【発明の効果】
【００１２】
本発明では、設定時刻の経過時に表示される時刻の表示態様と、電源状態がオン状態における通常の時刻の表示態様とが異なるように制御されている。このため、ユーザーは設定時刻の経過を容易に認識することが出来る。
【発明を実施するための最良の形態】
【００１３】
以下、この発明の最良の実施形態について、図面を参照しながら説明する。図１は、本実施形態で説明するテレビジョン放送受信装置１１１の外観の一例を概略的に示している。
【００１４】
すなわち、テレビジョン放送受信装置１１１は、主として、薄型のキャビネット１１２と、このキャビネット１１２を起立させて支持する支持台１１３とから構成されている。そして、キャビネット１１２には、例えば液晶表示パネル等を備えた平面パネル型ディスプレイである映像表示器１１４、一対のスピーカ１１５、操作部１１６、リモートコントローラ１１７から送信される操作情報を受けるリモコン受光部１１８等が設置されている。
【００１５】
図２は、上記したテレビジョン放送受信装置１１１の主要な信号処理系の一例を示している。すなわち、ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００１６】
そして、このチューナ２４５で選局された放送信号は、ＰＳＫ（Phase Shift Keying）復調器２４６に供給されてＴＳ(Transport Stream)が復調される。このＴＳは、ＴＳ復号器２４７に供給されてデジタルの映像信号、音声信号、データ信号等に復号化された後、信号処理部２４８に出力される。
【００１７】
また、地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００１８】
そして、このチューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理部２４８に出力される。
【００１９】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理部２４８に出力される。
【００２０】
そして、信号処理部２４８は、テレビ視聴時には、ＴＳ復号器２４７およびＴＳ復号器２５３からそれぞれ供給されたデジタルの映像信号及び音声信号に対して、選択的に所定のデジタル信号処理を施し、グラフィック処理部２５４及び音声処理部２５５に出力している。また、制御部２６１に含まれるチャンネル情報検出部２５６には、ＴＳ復号器２４７及びＴＳ復号器２５３からデータが供給される。チャンネル情報検出部２５６では、供給されたデータ信号からＰＳＩ／ＳＩ(Program Specific Information/Service Information)が検出される。
【００２１】
制御部２６１には、信号処理部２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御部２６１は、これら入力された情報からＥＰＧ，字幕を表示するため画像生成処理を行い、この生成した画像情報をグラフィック処理部２５４へ出力する。
【００２２】
グラフィック処理部２５４は、信号処理部２４８から供給されるデジタルの映像信号にＯＳＤ（On Screen Display）信号生成部２５７で生成されるＯＳＤ信号を重畳して出力する機能を有する。また、このグラフィック処理部２５４は、信号処理部２４８の出力映像信号と、ＯＳＤ信号生成部２５７の出力ＯＳＤ信号とを選択的に出力することや、両出力をそれぞれ画面の半分を構成するように組み合わせて出力することができる。
【００２３】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２４】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。また、テレビジョン放送受信装置１１１は、現在時刻を計時する時計２８０を備えている。
【００２５】
ここで、このテレビジョン放送受信装置１１１は、上記した各種の受信動作や映像／音声の出力を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から前記受光部１１８を介して受信した操作情報を受けて、その操作内容が反映されるように各部をそれぞれ制御している。
【００２６】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを利用している。
【００２７】
また、制御部２６１には、映像表示器１１４に表示される時刻の表示態様を制御する時刻表示態様制御部２６１ｄが含まれている。これにより、電源がオンであって映像や音声が出力された通常の動作状態（以下、通常動作状態と称する）の際には、図３に示すように、映像表示器１１４に現在時刻（図３では、ＡＭ７：００）が表示される。なお、図３では時刻のみを表示しているが、視聴している番組の放送局やチャンネル番号、チャンネルロゴ、リモコンボタン番号等を時刻とともに表示しても構わない。なお、図３では、映像表示器１１４に任意の番組の画像１４０が表示されている。
【００２８】
なお、当該現在時刻を含めた情報の表示／非表示は、リモートコントローラ１１７の所定キー（画面表示キー）を操作することで、自由に切り替えることが可能であってもよい。
【００２９】
また、時刻表示態様制御部２６１ｄによって、ユーザーが設定した時刻（本実施形態ではオンタイマー時刻）の経過時に映像表示器１１３に表示される時刻の表示態様と、通常動作状態（定常状態）における時刻の表示態様とが異なるように制御される。なお、本明細書中で“時刻の経過時”とは、詳細には設定時刻の瞬間及びそれからの一定期間を示すものとする。
【００３０】
本実施形態では、オンタイマー時刻の経過時に表示される時刻が、通常動作状態に表示される時刻よりも大きく表示されるため、ユーザーにとって時刻が見やすくなるとともに、オンタイマー時刻の経過が判りやすくなっている。具体的には例えば、通常動作状態における時刻の表示サイズが図３に示す程度であるとした場合、オンタイマー時刻経過時の表示サイズが図４に示すように大きくなるように時刻表示態様制御部２６１ｄは制御する。
【００３１】
なお、映像表示機１１４に表示される設定メニュー画面をユーザーがリモートコントローラ１１７を操作することなどによって、通常の時刻の表示サイズ及び／またはオンタイマー時刻の表示サイズは、任意に変更することが可能であってもよい。つまり、この場合、テレビジョン放送受信装置１１１は、オンタイマー経過時における時刻の表示態様の要素（表示される時刻の映像表示器１１４の画面上における位置，大きさ，色など）をユーザーが任意に設定できる時刻表示態様設定手段を備えている。図５は、オンタイマー時刻経過時の時刻表示態様の設定メニュー画面の一例を示している。つまり、ユーザーは映像表示機１１４に表示される所定のメニュー画面をリモートコントローラ１１７で操作することによって、例えば図５に示すような設定メニュー画面が表示され、ユーザーは画面上に表示された幾つかのキー（図５では、○キー、△キー、□キー、カーソルキーの４種類）を操作することで、設定時刻経過時に表示される時刻の表示態様の各要素（位置、大きさ、色など）を任意に設定できる。
【００３２】
また、制御部２６１には、少なくとも時計２８０の出力が供給された電源切替制御部２６１ｅが含まれている。電源切替制御部２６１ｅは、予め設定された時刻になった際にテレビジョン放送受信装置１１１の電源がオフの状態から、映像表示や音声出力がなされるオンの状態（動作状態）となるように構成されている。なお、ここでいうオフの状態は、主電源が入っていない状態だけに限らず、いわゆる待機状態（本実施形態では、リモートコントローラ１１７の電源ボタンでテレビジョン放送受信装置１１１の電源を切った状態）も含む。
【００３３】
また、電源切替制御部２６１ｅの制御によって、テレビジョン放送受信装置１１１は、いわゆるオンタイマー機能を有している。すなわち、ユーザーは映像表示機１１４に表示される所定のメニュー画面をリモートコントローラ１１７で操作することによって、オンタイマー機能のオン／オフ及びその関連項目（オン時刻、オフ時刻、音量、曜日、視聴時間など）を設定することができる。オンタイマー機能をオンに設定すると、設定時刻後に電源がオフの状態からオン状態となるように電源切替制御部２６１ｅは制御する。なお、例えばリモートコントローラ１１７に設けられているオンタイマーボタンを押下することにより、オンタイマー機能のオン／オフをサイクリックに切り換えて設定することが可能である。
【００３４】
次に、本実施形態に係るテレビジョン放送受信装置１１１のオンタイマー機能がオンに設定されている場合の動作について、図６のフローチャートを参照しながら説明する。なお、スタート時点では、テレビジョン放送受信装置１１１がオフの状態であって、映像や音声の出力がなされていないことを前提として以下説明する。
【００３５】
また、ユーザーは、リモートコントローラ１１７や操作部１１６の操作によって、オンタイマー機能が実行される時刻（以下、オンタイマー時刻と称する）を事前に設定しておく。オンタイマー時刻は、不揮発性メモリ２６１ｃ等の記憶手段を用いて記憶しておく。
【００３６】
次に、制御部２６１は、時計２８０で計時されている現在時刻と、ユーザーが設定したオンタイマー時刻の比較を行い、両者が一致するか否かを判定する（ステップ６０１）。
【００３７】
両者の時刻が一致した場合、電源切替制御部２６１ｅは、テレビジョン放送受信装置１１１をオフ状態からオン状態となるように制御する（ステップ６０２）。従って、映像表示器１１４には任意の放送局に係る番組の映像表示がなされたり、スピーカ１１５を介してその番組の音声が出力される。そして本実施形態では、オンタイマー時刻の経過時に電源がオン状態となるとともに、通常動作状態における時刻の表示態様（例えば図３を参照）とは異なる表示態様（例えば図４参照）で時刻が表示される。
【００３８】
オンタイマー時刻から一定時間（例えば３分）経過後、映像表示器１１４に表示されていた時刻は、時刻表示態様制御部２６１ｄの制御に基いて、図３に示すような通常の表示態様に戻る。あるいは、オンタイマー時刻の経過から一定時間経過後は、時刻の表示自体を止めるように、時刻表示態様制御部２６１ｄが制御する構成であってもよい。また、ユーザーによるリモートコントローラ１１７の操作に基いて、当該時刻の表示を止めるように時刻表示態様制御部２６１ｄが制御する構成であってもよい。
【００３９】
本実施形態の特徴は、上記したように、通常動作状態において映像表示器１１４に表示される時刻の表示態様と、ユーザーが予め設定した時刻の経過時に表示される時刻の表示態様とが、異なるように制御されている点であり、更に言えば、後者の表示態様の方が前者の表示態様よりも視覚的に強調されている点である。このためユーザーは、オンタイマー時刻の経過を容易に認識することができる。例えば、オンタイマー機能を目覚まし機能としてユーザーが用いたとした場合、図４に示すような大きなサイズで時刻が表示されれば、視力の弱いユーザーであってもオンタイマー時刻の経過を容易に認識することが出来る。
【００４０】
（変形例）
また、オンタイマー時刻の経過時の時刻表示を、以下に説明するように構成することも出来る。上記例では、通常の動作状態時に映像表示器１１４に表示される時刻の表示態様と、オンタイマー時刻経過時に表示される時刻の表示態様とで、文字のサイズを変更していた。これに対して、図７に示すように、サイズとともに画面上における配置位置を変更することもできる。すなわち、通常動作状態の時刻が図３に示すような位置（向かって画面右上）に表示されているとした場合、オンタイマー時刻経過時の表示位置を図７に示すような位置（画面中央）となるように、時刻表示態様制御部２６１ｄが制御する構成であってもよい。なお、図７では、表示位置とともに文字サイズも変更しているが、表示位置のみを変更してもよい。
【００４１】
この配置位置の変更は、例えば図５に示すように設定メニュー画面を見ながらリモートコントローラ１１７の指定キー（図５ではカーソルキー）を操作すること等で実行することが可能である。なお、同様に、通常動作状態の時刻の表示位置を任意に変更することが可能であってもよい。かかる構成によれば、ユーザーにとって好みの位置にオンタイマー時刻経過時の時刻を表示することが出来る。
【００４２】
あるいは、図示しないが、オンタイマー時刻の経過時の時刻表示を、以下に説明するようにすることも出来る。すなわち、通常動作状態の時刻の表示が任意の色（例えば黒）であるとした場合、オンタイマー時刻の経過時の時刻の表示色を前記色と異なる色（例えば赤、青、黄等）となるように、時刻表示態様制御部２６１ｄが制御する構成であってもよい。このオンタイマー時刻経過時の時刻の表示色の変更は、例えば図５に示すように設定メニュー画面を見ながらリモートコントローラ１１７の指定キー（図５では○キー）を操作すること等で実行することが可能である。かかる構成によれば、ユーザーにとっての好みの色でオンタイマー時刻を表示することが出来、ユーザーにとって利便性が高い。
【００４３】
また、図８に示すように、時刻とともに所定の図柄（図８の例ではデータ放送やインターネット経由で得た太陽の図柄１５０）を表示するように時刻表示態様制御部２６１ｄが制御する構成であってもよいし、時刻とともに視聴している番組の放送局名やチャンネル番号などを同時に表示しても構わない。
【００４４】
なお、本発明は上記実施形態そのままに限定されるものではなく、実施段階ではその要旨を逸脱しない範囲で構成要素を変形して具体化できる。例えば、上記実施形態では、オンタイマー機能を有するテレビジョン放送受信装置１１１について説明したが、必ずしもこの実施形態に限定されず、電源状態の変化を伴わずに本発明を適用することも可能である。例えば、ユーザーが見たい番組（見逃したくない番組）の開始日時をユーザーが予め設定しておき、当該開始時刻経過の際の時刻表示を、上記オンタイマー時刻の経過の例と同様に表示制御することも可能である。このように本発明は、時刻表示機能を有する装置に広く適用することが可能である。
【００４５】
また、上記実施形態に開示されている複数の構成要素の適宜な組み合わせにより、種々の発明を形成できる。例えば、実施形態に示される全構成要素から幾つかの構成要素を削除してもよい。さらに、異なる実施例にわたる構成要素（設定時刻の表示サイズの変更制御、表示位置の変更制御、表示色の変更制御、図柄の表示制御）を適宜組み合わせてもよい。
【００４６】
また、例えばオンタイマー時刻の経過前（例えば１分前）から電源状態をオン状態とし、オン状態となったときから一定時間のみ、時刻の表示形態を通常表示態様から変える、という構成あってもよい。かかる構成によれば、設定時刻（オンタイマー時刻）には正常なテレビ映像も見られるといメリットがある。
【図面の簡単な説明】
【００４７】
【図１】本実施形態に係る放送受信装置の外観を説明するための図である。
【図２】本実施形態に係る放送受信装置の主要な信号処理系を示す図である。
【図３】本実施形態に係る放送受信装置の通常動作時における時刻表示の一例を示す図である。
【図４】本実施形態に係る放送受信装置のオンタイマー時刻経過時における時刻表示の一例を示す図である。
【図５】本実施形態に係る放送受信装置のオンタイマー時刻経過時における時刻表示の設定画面の一例を示す図である。
【図６】本実施形態に係る放送受信装置の動作を示すフローチャート図である。
【図７】本実施形態に係る放送受信装置のオンタイマー時刻経過時における時刻表示の一例を示す図である。
【図８】本実施形態に係る放送受信装置のオンタイマー時刻経過時における時刻表示の一例を示す図である。
【符号の説明】
【００４８】
１１１…テレビジョン放送受信装置、１１２…キャビネット、１１３…支持台、１１４…映像表示器、１１５…スピーカ、１１６…操作部、１１７…リモートコントローラ、１１８…受光部、１５０…図柄、２４３…アンテナ、２４４…入力端子、２４５…チューナ、２４６…ＰＳＫ復調器、２４７…ＴＳ復号器、２４８…信号処理部、２４９…アンテナ、２５０…入力端子、２５１…チューナ、２５２…ＯＦＤＭ復調器、２５３…ＴＳ復号器、２５４…グラフィック処理部、２５５…音声処理部、２５６…チャンネル情報検出部、２５７…ＯＳＤ信号生成部、２５８…映像処理部、２５９…出力端子、２６０…出力端子、２６１…制御部、２６１ａ…ＲＯＭ、２６１ｂ…ＲＡＭ、２６１ｃ…不揮発性メモリ、２６１ｄ・・・時刻表示態様制御部、２６１ｅ・・・電源切替制御部。
【図１】
2009276182.tif 000003
【図２】
2009276182.tif 000004
【図３】
2009276182.tif 000005
【図４】
2009276182.tif 000006
【図５】
2009276182.tif 000007
【図６】
2009276182.tif 000008
【図７】
2009276182.tif 000009
【図８】
2009276182.tif 000010